(57)【要約】【課題】本発明は、並んでいる複数の電池の電極を電気的に接続させるための電池導電接続シート及び電池導電接続モジュールを提供する。【解決手段】電池導電接続モジュールは、電池の電極をそれぞれ接続するための二つの電池導電接続シートを含み、電池導電接続シートが、橋架部、二つの第一導電接続部及び二つの第二導電接続部を含み、橋架部が第一側及び第二側を有し、前記二つの第一導電接続部が前記橋架部の前記第一側に間隔を隔てるように連結されているとともに、第１方向に沿って延長しており、前記二つの第二導電接続部が前記橋架部の前記第二側に間隔を隔てるように連結されているとともに、前記第１方向と反対する第２方向に沿って延長している。前記二つの電池導電接続シートは対向するように配置されている。【選択図】図４
2019114540.tif 000002
【特許請求の範囲】
【請求項１】
橋架部、二つの第一導電接続部及び二つの第二導電接続部を含み、
前記橋架部は、対向する第一側及び第二側を有し、
前記二つの第一導電接続部は、前記橋架部の前記第一側に間隔を隔てるように連結されているとともに、第１方向に沿って延長しており、
前記二つの第二導電接続部は、前記橋架部の前記第二側に間隔を隔てるように連結されているとともに、前記第１方向と反対する第２方向に沿って延長している、電池導電接続シート。
【請求項２】
各前記第一導電接続部は第一延出部、第一折り曲げ部及び第一接続部を有し、
前記第一延出部は前記第一側に連結されており、前記第一折り曲げ部の一方側が前記第一延出部の前記第１方向に向かう側に連結されており、前記第一折り曲げ部の他方側が前記第一接続部に連結されており、
各前記第二導電接続部は第二延出部、第二折り曲げ部及び第二接続部を有し、
前記第二延出部は前記第二側に連結されており、前記第二折り曲げ部の一方側が前記第二延出部の前記第２方向に向かう側に連結されており、前記第二折り曲げ部の他方側が前記第二接続部に連結されている、請求項１記載の電池導電接続シート。
【請求項３】
前記複数の第一接続部と前記複数の第二接続部とが実質的に同一平面に位置しているとともに、前記複数の第一接続部と前記橋架部とがそれぞれ異なる平面に位置しており、前記複数の第二接続部と前記橋架部とがそれぞれ異なる平面に位置している、請求項２記載の電池導電接続シート。
【請求項４】
前記橋架部は本体部、第一分岐部及び第二分岐部を有し、前記第一分岐部及び前記第二分岐部はそれぞれ前記本体部の両端に連結されており、前記第一分岐部と前記第二分岐部とが略平行しており、前記第一分岐部が前記第一側を有し、前記第二分岐部が前記第二側を有する、請求項１記載の電池導電接続シート。
【請求項５】
各前記第一導電接続部は第一折り曲げ部及び第一接続部を有し、前記第一折り曲げ部が前記第一分岐部の前記第一側と前記第一接続部とを連結するように構成されており、各前記第二導電接続部は第二折り曲げ部及び第二接続部を有し、前記第二折り曲げ部が前記第二分岐部の前記第二側と前記第二接続部とを連結するように構成されている、請求項４記載の電池導電接続シート。
【請求項６】
前記複数の第一接続部と前記複数の第二接続部とが実質的に同一平面に位置しているが、前記複数の第一接続部と前記橋架部とがそれぞれ異なる平面に位置しており、前記複数の第二接続部と前記橋架部とがそれぞれ異なる平面に位置している、請求項５記載の電池導電接続シート。
【請求項７】
並んでいる複数の電池を接続するための電池導電接続モジュールにおいて、
前記複数の電池はそれぞれ第一電極及び第二電極を有し、前記複数の電池同士の前記第一電極及び前記第二電極が千鳥配列で配置されており、
請求項１〜６のいずれか一つに記載の電池導電接続シートを二つ含み、一方の前記電池導電接続シートは、二つの第一導電接続部及び二つの第二導電接続部がそれぞれ前記複数の電池の前記複数の第一電極に接続されており、他方の前記電池導電接続シートは、二つの第一導電接続部及び二つの第二導電接続部がそれぞれ前記複数の電池の前記複数の第二電極に接続されており、
各前記電池導電接続シートの前記橋架部は、前記第一側と前記第二側との間に、互いに反対側に向いている第一面及び第二面を有し、一方の前記電池導電接続シートの前記橋架部の前記第二面と他方の前記電池導電接続シートの前記橋架部の前記第二面とが対向するように配置されている、電池導電接続モジュール。
【請求項８】
一方の前記電池導電接続シートの前記第二面と他方の前記電池導電接続シートの前記第二面とは、垂直方向の投影面積の少なくとも一部が重なっている、請求項７記載の電池導電接続モジュール。
【請求項９】
一方の前記電池導電接続シートと他方の前記電池導電接続シートとの間に隙間がある、請求項７記載の電池導電接続モジュール。
【請求項１０】
一方の前記電池導電接続シートの前記二つの第一導電接続部と、他方の前記電池導電接続シートの前記二つの第二導電接続部とが実質的に同一直線に位置している、請求項７記載の電池導電接続モジュール。
【請求項１１】
一方の前記電池導電接続シートの前記二つの第一導電接続部と、他方の前記電池導電接続シートの前記二つの第二導電接続部とが千鳥配列で配置されている、請求項７記載の電池導電接続モジュール。
【請求項１２】
前記二つの電池導電接続シートは、前記複数の第一導電接続部と前記複数の第二導電接続部とが実質的に同一平面に位置している、請求項７記載の電池導電接続モジュール。
【発明の詳細な説明】
【技術分野】
【０００１】
本発明は、電池の導電接続構造に関し、特に、電池導電接続シート及び電池導電接続モジュールに関する。
【背景技術】
【０００２】
科学技術の進歩や環境問題への意識の高まりにより、電気自動車に関する技術は、すでに大手メーカーが開発競争をしている分野の一つである。そのうち、電気自動車の組電池は特に重要であり、二次電池の技術に限ると、所望の電力を達成するように、複数の二次電池を並列に接続する必要があることが多い。従って、体積及び占有空間が小さく、従来の二次電池用のスペースに収納し得る、複数の電池の電極を接続する電池導電接続シート及び電池導電接続モジュールを提供することは、本発明者の研究開発の方向の１つである。
【発明の概要】
【発明が解決しようとする課題】
【０００３】
これに鑑みて、本発明は、複数の電池の電極を接続する電池導電接続シート及び電池導電接続モジュールを提供する目的とする。
【課題を解決するための手段】
【０００４】
上記の目的を達成するために、本発明の電池導電接続シートは、橋架部、二つの第一導電接続部及び二つの第二導電接続部を含み、前記橋架部は、対向する第一側及び第二側を有し、前記二つの第一導電接続部は、前記橋架部の前記第一側に間隔を隔てるように連結されているとともに、第１方向に沿って延長しており、前記二つの第二導電接続部は、前記橋架部の前記第二側に間隔を隔てるように連結されているとともに、前記第１方向と反対する第２方向に沿って延長している。
【０００５】
本発明の一実施形態においては、各前記第一導電接続部は第一延出部、第一折り曲げ部及び第一接続部を有し、前記第一延出部は前記第一側に連結されており、前記第一折り曲げ部の一方側が前記第一延出部の前記第１方向に向かう側に連結されており、前記第一折り曲げ部の他方側が前記第一接続部に連結されており、各前記第二導電接続部は第二延出部、第二折り曲げ部及び第二接続部を有し、前記第二延出部は前記第二側に連結されており、前記第二折り曲げ部の一方側が前記第二延出部の前記第２方向に向かう側に連結されており、前記第二折り曲げ部の他方側が前記第二接続部に連結されている。
【０００６】
本発明の他の実施形態においては、前記複数の第一接続部と前記複数の第二接続部とが実質的に同一平面に位置しているとともに、前記複数の第一接続部及び前記複数の第二接続部と前記橋架部とがそれぞれ異なる平面に位置している。
【０００７】
本発明の他の実施形態においては、前記橋架部は本体部、第一分岐部及び第二分岐部を有し、前記第一分岐部及び前記第二分岐部はそれぞれ前記本体部の両端に連結されており、前記第一分岐部と前記第二分岐部とが略平行しており、前記第一分岐部が前記第一側を有し、前記第二分岐部が前記第二側を有する。
【０００８】
本発明の他の実施形態においては、各前記第一導電接続部は第一折り曲げ部及び第一接続部を有し、前記第一折り曲げ部が前記第一分岐部の前記第一側と前記第一接続部とを連結するように構成されており、各前記第二導電接続部が第二折り曲げ部及び第二接続部を有し、前記第二折り曲げ部が前記第二分岐部の前記第二側と前記第二接続部とを連結するように構成されている。
【０００９】
本発明の他の実施形態においては、前記複数の第一接続部と前記複数の第二接続部とが実質的に同一平面に位置しているが、前記複数の第一接続部及び前記複数の第二接続部と前記橋架部とがそれぞれ異なる平面に位置している。
【００１０】
上記の目的を達成するために、本発明の電池導電接続モジュールは、並んでいる複数の電池を接続するため、前記複数の電池はそれぞれ第一電極及び第二電極を有し、前記複数の電池同士の前記第一電極及び前記第二電極が千鳥配列で配置されており、電池導電接続シートを二つ含み、一方の前記電池導電接続シートは、二つの第一導電接続部及び二つの第二導電接続部がそれぞれ前記複数の電池の前記複数の第一電極に接続されており、他方の前記電池導電接続シートは、二つの第一導電接続部及び二つの第二導電接続部がそれぞれ前記複数の電池の前記複数の第二電極に接続されており、各前記電池導電接続シートの前記橋架部が、前記第一側と前記第二側との間に、互いに反対側に向いている第一面及び第二面を有し、一方の前記電池導電接続シートの前記橋架部の前記第二面と他方の前記電池導電接続シートの前記橋架部の前記第二面とが対向するように配置されている。
【００１１】
本発明の他の実施形態においては、一方の前記電池導電接続シートの前記第二面と他方の前記電池導電接続シートの前記第二面とは、垂直方向の投影面積の少なくとも一部が重なっている。
【００１２】
本発明の他の実施形態においては、一方の前記電池導電接続シートと他方の前記電池導電接続シートとの間に隙間がある。
【００１３】
本発明の他の実施形態においては、一方の前記電池導電接続シートの前記二つの第一導電接続部と、他方の前記電池導電接続シートの前記二つの第二導電接続部とが実質的に同一直線に位置している。
【００１４】
本発明の他の実施形態においては、一方の前記電池導電接続シートの前記二つの第一導電接続部と、他方の前記電池導電接続シートの前記二つの第二導電接続部とが千鳥配列で配置されている。
【００１５】
本発明の他の実施形態においては、前記二つの電池導電接続シートは、前記複数の第一導電接続部と前記複数の第二導電接続部とが実質的に同一平面に位置している。
【発明の効果】
【００１６】
本発明によれば、上述の電池導電接続シート及び電池導電接続モジュールの設計により、複数の電池の電極を効果的に接続でき、電池導電接続モジュールにおける前記二つの電池導電接続シートを合わせることにより、電池導電接続モジュールの占有空間を効果的に低減することができて、組電池の小型化に有利である。
【図面の簡単な説明】
【００１７】
【図１】本発明の第一実施形態に係る電池導電接続シートの斜視図である。
【図２】図１の上面図である。
【図３】図１の側面図である。
【図４】一実施形態に係る電池導電接続モジュールが電池に配置された構造を示す概略図である。
【図５】図４の上面図である。
【図６】図４の分解図である。
【図７】図６の側面図である。
【図８】本発明の第二実施形態に係る電池導電接続シートの斜視図である。
【図９】図８の上面図である。
【図１０】図８の側面図である。
【図１１】一実施形態に係る電池導電接続モジュールが電池に配置された構造を示す概略図である。
【図１２】図１１の上面図である。
【図１３】図１１の分解図である。
【図１４】図１３の側面図である。
【発明を実施するための形態】
【００１８】
以下、図面を参照しながら、本発明の好ましい実施形態を詳細に説明する。図１〜図３に示したように、本発明の第一実施形態に係る電池導電接続シート１０は、例えば金、銀、銅、アルミニウム等の導電材料からなり、本実施形態では、前記電池導電接続シート１０が銅からなり、他の形態では、これに限定されるものではない。前記電池導電接続シート１０は、橋架部１１、二つの第一導電接続部１２及び二つの第二導電接続部１３を含む。
【００１９】
前記橋架部１１は、対向する第一側１１ａ及び第二側１１ｂを有し、前記第一側１１ａと前記第二側１１ｂとの間に互いに反対側に向いている第一面１１ｃ及び第二面１１ｄを有する。
【００２０】
前記二つの第一導電接続部１２は前記橋架部１１の前記第一側１１ａに間隔を隔てるように連結されているとともに第１方向Ｄ１に沿って延長している。各前記第一導電接続部１２が第一延出部１２ａ、第一折り曲げ部１２ｂ及び第一接続部１２ｃを有し、前記第一延出部１２ａが前記第一側１１ａに連結されており、前記第一折り曲げ部１２ｂの一方側が前記第一延出部１２ａの前記第１方向Ｄ１に向かう側に連結されており、前記第一折り曲げ部１２ｂの他方側が前記第一接続部１２ｃに連結されており、前記第一接続部１２ｃが前記第１方向Ｄ１に向かって延長している。本実施形態では、前記二つの第一延出部１２ａと前記橋架部１１とが実質的に同一平面に位置しており、前記二つの第一接続部１２ｃが実質的に同一平面に位置しており、橋架部１１に対して、前記複数の第一接続部１２ｃと橋架部１１とがそれぞれ異なる平面に位置しており、さらに、図１または図３の視角からみると、前記橋架部１１より前記複数の第一接続部１２ｃは、低い平面に位置する。
【００２１】
前記二つの第二導電接続部１３は前記橋架部１１の前記第二側１１ｂに間隔を隔てるように連結されているとともに、前記第１方向と反対する第２方向Ｄ２に沿って延長している。各前記第二導電接続部１３は第二延出部１３ａ、第二折り曲げ部１３ｂ及び第二接続部１３ｃを有し、前記第二延出部１３ａが前記第二側１１ｂに連結されており、前記第二折り曲げ部１３ｂの一方側が前記第二延出部１３ａの前記第２方向Ｄ２に向かう側に連結されており、前記第二折り曲げ部１３ｂの他方側が前記第二接続部１３ｃに連結されており、前記第二接続部１３ｃが第２方向Ｄ２に向かって延長している。本実施形態では、前記二つの第二延出部１３ａと前記橋架部１１とが実質的に同一平面に位置しており、前記二つの第二接続部１３ｃが実質的に同一平面に位置しており、橋架部１１に対して、前記複数の第二接続部１３ｃと橋架部１１とがそれぞれ異なる平面に位置しており、さらに、図１或いは図３の視角からみると、前記橋架部１１より前記複数の第二接続部１３ｃは、低い平面に位置する。また、前記複数の第二接続部１３ｃと前記複数の第一接続部１２ｃとが実質的に同一平面に位置している。
【００２２】
図４〜図７は、本発明の一実施形態の電池導電接続モジュール１００が並んでいる複数の電池１に配置された構造を示す概略図である。前記複数の電池１はそれぞれ第一電極２及び第二電極３を有し、前記複数の電池１同士の第一電極２及び第二電極３が千鳥配列で配置されている。本実施形態では、前記第一電極２が負極であり、前記第二電極３が正極であり、他の形態においては、これに限定されるものではなく、第一電極が正極で、第二電極が負極であってもよい。
【００２３】
前記電池導電接続モジュール１００は、第一実施形態に記載の電池導電接続シート１０を二つ含み、一方の前記電池導電接続シート１０（例えば、図６中の上方に位置する電池導電接続シート）は、前記二つの第一導電接続部１２及び前記二つの第二導電接続部１３がそれぞれ前記複数の電池１の前記複数の第一電極２を接続するように用いられ、他方の前記電池導電接続シート１０（例えば、図６中の下方に位置する電池導電接続シート）は、前記二つの第一導電接続部１２及び前記二つの第二導電接続部１３がそれぞれ前記複数の電池１の前記複数の第二電極３を接続するように用いられる。図６に示したように、本実施形態では、前記二つの電池導電接続シート１０の各第一導電接続部１２の第一接続部１２ｃはそれぞれ穿孔１４を有し、各第二導電接続部１３の第二接続部１３ｃはそれぞれ穿孔１５を有し、前記穿孔１４、１５のそれぞれにボルトＳを挿通させて対応する電池１の第一電極２または第二電極３に固定させることで、前記二つの電池導電接続シート１０と対応の第一電極２または第二電極３とが、電気的な接続関係を安定して形成することができるが、他の形態においては、電池導電接続シートを電池の電極に電気的接続させる方式は、上述の説明に限定されるものではない。
【００２４】
尚、図７に示したように、前記二つの電池導電接続シート１０を前記複数の電池１に組み付ける場合、一方の前記電池導電接続シート１０の橋架部の第二面１１ｄと、他方の前記電池導電接続シート１０の橋架部の前記第二面１１ｄとは対向するように配置されている。また、一方の前記電池導電接続シート１０と他方の前記電池導電接続シート１０とが互いに接触しないように隙間を空けて、電気的に絶縁させることが好ましい。また、前記二つの電池導電接続シート１０の短絡などの不測の事態の発生をさらに防止するように、各前記電池導電接続シート１０の橋架部に、絶縁膜をさらに塗布または被覆することができるが、これに限定されるものではない。
【００２５】
特に、前記二つの電池導電接続シート１０を電池１に組み付ける場合、図５に示したように、一方の前記電池導電接続シート１０の前記第二面１１ｄと他方の前記電池導電接続シート１０の前記第二面１１ｄとは垂直方向の投影面積の少なくとも一部が重なっている。また、一方の前記電池導電接続シート１０の前記二つの第一導電接続部１２と他方の前記電池導電接続シート１０の前記二つの第二導電接続部１３とが実質的に同一直線Ｌ１に位置しており、さらに、一方の前記電池導電接続シート１０の前記二つの第一導電接続部１２と他方の前記電池導電接続シート１０の前記二つの第二導電接続部１３とが千鳥配列で配置されている。
【００２６】
尚、上述の設計により、前記二つの電池導電接続シート１０を電池１に組み付ける場合、前記二つの電池導電接続シート１０の前記複数の第一導電接続部１２と前記複数の第二導電接続部１３とが実質的に同一平面に位置している。これにより、複数の電池１が並んで配置されている場合、本発明の電池導電接続モジュール１００は、前記複数の電池１を効果的に並列に接続することができ、さらに、前記二つの電池導電接続シート１０を合わせることにより、それらの占有空間を効果的に低減することができる。例えば、図４に示したように、本発明の電池導電接続モジュール１００はスペースを効果的に利用でき、さらに、それが前記複数の電池の電極同士の間隔に配置されるため、組電池を組み付ける場合の全体の高さを効果的に低減することができ、組電池の小型化に有利である。
【００２７】
図８〜図１０に示したのは本発明の第二実施形態に係る電池導電接続シート２０であり、前記電池導電接続シート２０は、例えば金、銀、銅、アルミニウム等の導電材料からなり、本実施形態では、前記電池導電接続シート２０は銅からなり、他の形態では、これに限定されるものではない。前記電池導電接続シート２０は、橋架部２１、二つの第一導電接続部２２及び二つの第二導電接続部２３を含む。
【００２８】
前記橋架部２１は、対向する第一側２１ａ及び第二側２１ｂを有し、前記第一側２１ａと前記第二側２１ｂとの間に互いに反対側に向いている第一面２１ｃ及び第二面２１ｄを有する。本実施形態では、前記橋架部２１は本体部２１１、第一分岐部２１２及び第二分岐部２１３を含み、前記第一分岐部２１２と前記第二分岐部２１３とがそれぞれ前記本体部２１１の両端に連結されており、前記第一分岐部２１２と前記第二分岐部２１３とが略平行しており、前記第一分岐部２１２が前記第一側２１ａを有し、前記第二分岐部２１３が前記第二側２１ｂする。
【００２９】
前記二つの第一導電接続部２２が前記橋架部２１の前記第一側２１ａに間隔を隔てるように連結されているとともに、第１方向Ｄ１に沿って延長している。各前記第一導電接続部２２は第一折り曲げ部２２ａ及び第一接続部２２ｂを有し、前記第一折り曲げ部２２ａが前記第一分岐部２１２の前記第一側２１ａと前記第一接続部２２ｂとを連結するように構成されており、前記第一接続部２２ｂが第１方向Ｄ１に向かって延長している。本実施形態では、前記二つの第一接続部２２ｂと橋架部２１とがそれぞれ異なる平面に位置しており、または、図８の視角からみると、前記橋架部２１より前記二つの第一接続部２２ｂは、低い平面に位置する。
【００３０】
前記二つの第二導電接続部２３が前記橋架部２１の前記第二側２１ｂに間隔を隔てるように連結されているとともに、前記第１方向Ｄ１と反対する第２方向Ｄ２に沿って延長している。各前記第二導電接続部２３は第二折り曲げ部２３ａ及び第二接続部２３ｂ有し、前記第二折り曲げ部２３ａが前記第二分岐部２１３の前記第二側２１ｂ及び前記第二接続部２３ｂとを連結するように構成されており、前記第二接続部２３ｂが前記第２方向Ｄ２に向かって延長している。本実施形態では、前記二つの第二接続部２３ｂと橋架部２１とがそれぞれ異なる平面に位置しており、または、図８の視角からみると、前記橋架部２１より前記二つの第二接続部２３ｂは、低い平面に位置する。
【００３１】
図１１〜図１４に示したのは本発明の一実施形態に係る電池導電接続モジュール２００が並んでいる複数の電池１に配置されている構造を示す概略図である。前記複数の電池１はそれぞれ第一電極２及び第二電極３を有し、前記複数の電池１同士の第一電極２及び第二電極３が千鳥配列で配置されており、本実施形態では、前記第一電極２が負極であり、前記第二電極３が正極であり、他の形態においては、これに限定されるものではなく、第一電極が正極で、第二電極が負極であってもよい。
【００３２】
前記電池導電接続モジュール２００は、第二実施形態に記載の電池導電接続シート２０を二つ含み、一方の前記電池導電接続シート２０（例えば、図１３中の上方に位置する電池導電接続シート）は、前記二つの第一導電接続部２２及び前記二つの第二導電接続部２３がそれぞれ前記複数の電池１の前記複数の第一電極２を接続するように用いられ、他方の前記電池導電接続シート２０（例えば、図１３中の下方に位置する電池導電接続シート）は、前記二つの第一導電接続部２２及び前記二つの第二導電接続部２３がそれぞれ前記複数の電池１の前記複数の第二電極３を接続するように用いられる。図１３に示したように、本実施形態では、前記二つの電池導電接続シート２０の各第一導電接続部２２の第一接続部２２ｂはそれぞれ穿孔２４を有し、各第二導電接続部２３の第二接続部２３ｂはそれぞれ穿孔２５を有し、前記穿孔２４、２５のそれぞれにボルトＳを挿通させて対応する電池１の第一電極２または第二電極３に固定させることで、前記二つの電池導電接続シート２０と対応の第一電極２または第二電極３が、電気的な接続関係を安定して形成することができるが、他の形態においては、電池導電接続シートを電池の電極に電気的接続する方式は、上述の説明に限定されるものではない。
【００３３】
尚、図１４に示したように、前記二つの電池導電接続シート２０を前記複数の電池１に組み付ける場合、一方の前記電池導電接続シート２０の橋架部の第二面２１ｄと、他方の前記電池導電接続シート２０の橋架部の前記第二面２１ｄとが対向するように配置されている。また、一方の前記電池導電接続シート２０と他方の前記電池導電接続シート２０とが互いに接触しないように隙間を空けて、電気的に絶縁させることが好ましい。また、前記二つの電池導電接続シート２０の短絡などの不測の事態の発生をさらに防止するように、各前記電池導電接続シート２０の橋架部に、絶縁膜をさらに塗布または被覆することができるが、これに限定されるものではない。
【００３４】
特に、前記二つの電池導電接続シート２０を電池１に組み付ける場合、図１２に示したように、一方の前記電池導電接続シート２０の前記第二面２１ｄと他方の前記電池導電接続シート２０の前記第二面２１ｄとは垂直方向の投影面積の少なくとも一部が重なっている。また、一方の前記電池導電接続シート２０の前記二つの第一導電接続部２２と他方の前記電池導電接続シート２０の前記二つの第二導電接続部２３とが実質的に同一直線Ｌ２に位置しており、さらに、一方の前記電池導電接続シート２０の前記二つの第一導電接続部２２と他方の前記電池導電接続シート２０の前記二つの第二導電接続部２３とが千鳥配列で配置されている。
【００３５】
尚、上述の設計により、前記二つの電池導電接続シート２０を電池１に組み付ける場合、前記二つの電池導電接続シート２０の前記複数の第一導電接続部２２と前記複数の第二導電接続部２３とが実質的に同一平面に位置している。これによって、複数の電池１が並んで配置されている場合、本発明の電池導電接続モジュール２００が、前記複数の電池１を効果的に並列に接続することができ、さらに、前記二つの電池導電接続シート２０を合わせることにより、それらの占有空間を効果的に低減することができる。例えば、図１１に示したように、本発明の電池導電接続モジュール２００がスペースを効果的に利用でき、さらに、それが前記複数の電池の電極同士の間隔に配置されるため、組電池を組み付ける場合の全体の高さを効果的に低減することができ、組電池の小型化に有利である。
【００３６】
上述したものは本発明の実行可能な実施例に過ぎず、前記各電池導電接続シートが一体的に成形されており、他の形態においては、これに限定されるものではなく、また、上述の各電池導電接続シートの第一導電接続部及び第二導電接続部の数が二つに限定されるものではなく、実際の応用に応じて、それらの数を三つまたは三つ以上にしてもよい。本発明の明細書及び特許請求の範囲の均等変化はすべて、本発明の特許請求の範囲内に含まれるべきである。
【符号の説明】
【００３７】
１電池 ２第一電極    ３第二電極
１００電池導電接続モジュール
１０電池導電接続シート
１１橋架部    １１ａ第一側  １１ｂ第二側
１１ｃ第一面  １１ｄ第二面
１２第一導電接続部   １２ａ第一延出部     １２ｂ第一折り曲げ部
１２ｃ第一接続部
１３第二導電接続部   １３ａ第二延出部     １３ｂ第二折り曲げ部
１３ｃ第二接続部
１４、１５穿孔
２００電池導電接続モジュール
２０電池導電接続シート
２１橋架部    ２１ａ第一側  ２１ｂ第二側
２１ｃ第一面  ２１ｄ第二面
２１１本体部  ２１２第一分岐部     ２１３第二分岐部
２２第一導電接続部   ２２ａ第一折り曲げ部 ２２ｂ第一接続部
２３第二導電接続部   ２３ａ第二折り曲げ部 ２３ｂ第二接続部
Ｄ１第一方向
Ｄ２第二方向
Ｌ１、Ｌ２直線
Ｓボルト
【図１】
2019114540.tif 000003
【図２】
2019114540.tif 000004
【図３】
2019114540.tif 000005
【図４】
2019114540.tif 000006
【図５】
2019114540.tif 000007
【図６】
2019114540.tif 000008
【図７】
2019114540.tif 000009
【図８】
2019114540.tif 000010
【図９】
2019114540.tif 000011
【図１０】
2019114540.tif 000012
【図１１】
2019114540.tif 000013
【図１２】
2019114540.tif 000014
【図１３】
2019114540.tif 000015
【図１４】
2019114540.tif 000016